(57)【要約】【課題】光取り出し効率の高い光源モジュール、並びにこれを用いた照明装置，液晶表示装置、及び映像表示装置を提供すること。【解決手段】光源であるＬＥＤチップ３は、配線基板２上に配置され、その上を透明樹脂からなる半円柱形の第一のレンズ４で覆う。更に、第一のレンズ４の外周面の一部を、半円柱形レンズを湾曲させた環状の透明樹脂からなる第二のレンズ５で覆い、互いに密着する形でレンズの二重構造を形成している。第一のレンズ４及び第二のレンズ５は、第一のレンズ４及び第二のレンズ５の界面で密着される。【選択図】  図１
2010192347.tif 000002
【特許請求の範囲】
【請求項１】
配線基板と、
前記配線基板上に配置された光源と、
前記光源を覆う第一のレンズと、
第二のレンズと、を有し、
前記配線基板面において直交する二つの軸を第一の軸及び第二の軸とした時、
前記第一のレンズにおける前記第一の軸を含む断面形状は矩形であり、
前記第一のレンズにおける前記第二の軸を含む断面形状は曲率を有し、
前記第二のレンズは湾曲しており、
前記第二のレンズは前記第一のレンズと密着している光源モジュール。
【請求項２】
請求項１に記載の光源モジュールにおいて、
前記第一のレンズと前記第二のレンズとが一体形成される光源モジュール。
【請求項３】
請求項１または２に記載の光源モジュールにおいて、
前記第一のレンズの屈折率をｎ１、前記第二のレンズの屈折率をｎ２としたとき、
ｎ１＞ｎ２＞１.０の関係を満たす光源モジュール。
【請求項４】
請求項１乃至３のいずれか１項に記載の光源モジュールにおいて、
前記配線基板面上において、前記第一のレンズ及び前記第二のレンズは直交する光源モジュール。
【請求項５】
請求項１乃至４のいずれか１項に記載の光源モジュールにおいて、
前記光源はＬＥＤチップを有し、
前記第一の軸上に前記ＬＥＤチップが配置される光源モジュール。
【請求項６】
請求項１乃至５のいずれか１項に記載の光源モジュールにおいて、
前記光源は、第一の発光色を有するＬＥＤチップ，第二の発光色を有するＬＥＤチップ、及び第三の発光色を有するＬＥＤチップからなり、
前記第一の発光色を有するＬＥＤチップと前記第二の発光色を有するＬＥＤチップとの距離と前記第二の発光色を有するＬＥＤチップと前記第三の発光色を有するＬＥＤチップとの距離との和は、前記第二のレンズにおける前記第一の軸方向の長さより小さい光源モジュール。
【請求項７】
請求項１乃至６のいずれか１項に記載の光源モジュールにおいて、
前記第二のレンズは三角柱状である光源モジュール。
【請求項８】
請求項１記載の光源モジュールにおいて、
前記第二のレンズにおける前記第一の軸を含む断面形状は、フレネルレンズの断面形状である光源モジュール。
【請求項９】
請求項１に記載の光源モジュールにおいて、
前記光源はＬＥＤチップと蛍光体を分散した透明樹脂とからなり、
前記蛍光体を分散した透明樹脂は前記ＬＥＤチップを覆う光源モジュール。
【請求項１０】
請求項１に記載の光源モジュールにおいて、
前記光源は、ＬＥＤチップと、
蛍光体を含まない第一の透明樹脂と、
蛍光体を分散した第二の透明樹脂とからなり、
前記第一の透明樹脂は前記ＬＥＤチップを覆い、
前記第二の透明樹脂は前記第一の透明樹脂を覆う光源モジュール。
【請求項１１】
請求項１乃至１０のいずれか１項に記載の光源モジュールにおいて、
前記光源モジュールが前記第二の軸方向に複数並んでいる光源モジュール。
【請求項１２】
請求項１乃至１１のいずれか１項に記載の光源モジュールと、
前記光源モジュールからの光を出射する導光板と、を有する照明装置。
【請求項１３】
請求項１乃至１１のいずれか１項に記載の光源モジュールと、
前記光源モジュールからの光を拡散する拡散板と、を有する照明装置。
【請求項１４】
一対の基板と、
一対の基板に挟持される液晶層とを有する液晶パネルと、
前記液晶パネルの両面に配置された一対の偏光板と、
請求項１２または１３に記載の照明装置と、を有する液晶表示装置。
【請求項１５】
請求項１４に記載の液晶表示装置と、
前記液晶表示装置に対して映像信号の信号処理を行う信号処理部と、電源を供給するための電源部と、スピーカなどの構造体と、を有する映像表示装置。
【発明の詳細な説明】
【技術分野】
【０００１】
本発明は、光源モジュール、並びにこれを用いた照明装置，液晶表示装置及び映像表示装置に関する。
【背景技術】
【０００２】
従来、ＬＥＤチップを透明樹脂で封止した光源は、樹脂からの直接出射光と樹脂内部での反射光を用いて光取り出しを行っている。
【０００３】
特許文献１は、ＬＥＤチップを封止した樹脂で凸レンズを形成し、かつ樹脂の背面に凹面鏡状の光反射部を形成した光源で、直接の出射光，全反射された光を背面の光反射部で反射させた光をそれぞれ取り出し、光の利用効率を向上させている。
【０００４】
特許文献２は、レンチキュラーレンズのシリンドリカルレンズ間に一定の平坦部を設けたシートとし、このシートを光源部に対して一定の距離を置いて半円筒状に囲った構造を特徴とし、光源部からの出射光の輝度むら及び色むらを抑制している。
【先行技術文献】
【特許文献】
【０００５】
【特許文献１】特開２００２−９４１２９号公報
【特許文献２】特開２００８−０７１６５７号公報
【発明の概要】
【発明が解決しようとする課題】
【０００６】
半円柱形レンズを用いる場合、中心軸上に配置したＬＥＤチップからの出射光は、レンズ円柱界面において中心軸に直交する方向では全反射を抑制できる。しかし、中心軸方向に対しては、光源から離れるに従い入射角が増加するため、臨界角を超えて全反射が起きる。ＬＥＤチップを透明樹脂で封止した光源において、ＬＥＤチップからの出射光がレンズ内部で全反射されると、光が閉じ込められて効率良く取り出せないため、光取り出し効率が低下するという問題がある。また、蛍光体を分散した透明樹脂をＬＥＤチップの近傍に形成した光源においても、同様の問題がある。本発明の目的は、光取り出し効率の高い光源モジュール、並びにこれを用いた照明装置，液晶表示装置、及び映像表示装置を提供するものである。
【課題を解決するための手段】
【０００７】
上記課題を解決するために、本発明の特徴は、配線基板と、配線基板上に配置された光源と、光源を覆う第一のレンズと、第二のレンズと、を有し、配線基板面において直交する二つの軸を第一の軸及び第二の軸とした時、第一のレンズにおける第一の軸を含む断面形状は矩形であり、第一のレンズにおける第二の軸を含む断面形状は曲率を有し、第二のレンズは湾曲しており、第二のレンズは第一のレンズと密着している光源モジュールである。
【０００８】
また、本発明の特徴は、第一のレンズと第二のレンズとが一体形成される光源モジュールである。
【０００９】
また、本発明の特徴は、第一のレンズの屈折率をｎ１、第二のレンズの屈折率をｎ２としたとき、ｎ１＞ｎ２＞１.０の関係を満たす光源モジュールである。
【００１０】
また、本発明の特徴は、配線基板面上において、第一のレンズ及び第二のレンズは直交する光源モジュールである。
【００１１】
また、本発明の特徴は、光源はＬＥＤチップを有し、第一の軸上に前記ＬＥＤチップが配置される光源モジュールである。
【００１２】
また、本発明の特徴は、光源は、第一の発光色を有するＬＥＤチップ，第二の発光色を有するＬＥＤチップ、及び第三の発光色を有するＬＥＤチップからなり、第一の発光色を有するＬＥＤチップと第二の発光色を有するＬＥＤチップとの距離と第二の発光色を有するＬＥＤチップと第三の発光色を有するＬＥＤチップとの距離との和は、第二のレンズの直径より小さい光源モジュールである。
【００１３】
また、本発明の特徴は、第二のレンズは三角柱状である光源モジュールである。
【００１４】
また、本発明の特徴は、第二のレンズにおける第一の軸を含む断面形状は、フレネルレンズの断面形状である光源モジュールである。
【００１５】
また、本発明の特徴は、光源はＬＥＤチップと蛍光体を分散した透明樹脂とからなり、蛍光体を分散した透明樹脂はＬＥＤチップを覆う光源モジュールである。
【００１６】
また、本発明の特徴は、光源は、ＬＥＤチップと、蛍光体を含まない第一の透明樹脂と、蛍光体を分散した第二の透明樹脂とからなり、第一の透明樹脂はＬＥＤチップを覆い、第二の透明樹脂は第一の透明樹脂を覆う光源モジュールである。
【００１７】
また、本発明の特徴は、光源モジュールが第一の軸方向もしくは第二の軸方向に複数並んでいる光源モジュールである。
【００１８】
また、本発明の特徴は、光源モジュールと、光源モジュールからの光を出射する導光板と、を有する照明装置である。
【００１９】
また、本発明の特徴は、光源モジュールと、前記光源モジュールからの光を出射する拡散板と、を有する照明装置である。
【００２０】
また、本発明の特徴は、一対の基板と、一対の基板に挟持される液晶層とを有する液晶パネルと、前記液晶パネルの両面に配置された一対の偏光板と、照明装置と、を有する液晶表示装置である。
【００２１】
また、本発明の特徴は、液晶表示装置と、液晶表示装置に対して映像信号の信号処理を行う信号処理部と、電源を供給するための電源部と、スピーカなどの構造体と、を有する映像表示装置である。
【発明の効果】
【００２２】
本発明により、光取り出し効率の高い光源モジュール、並びにこれを用いた照明装置，液晶表示装置、及び映像表示装置を提供できる。
【図面の簡単な説明】
【００２３】
【図１】光源モジュールの主要部を示す概観図である。
【図２】光源モジュールの上面図である。
【図３】図２のＸ軸上の断面図である。
【図４ａ】図２のａ−ａ線断面図である。
【図４ｂ】図２のｂ−ｂ線断面図である。
【図４ｃ】図２のｃ−ｃ線断面図である。
【図５ａ】第二のレンズのＹ軸方向断面図である。
【図５ｂ】図５ａの変形例を示すＹ軸方向断面図である。
【図５ｃ】図５ｂのレンズ断面をもつ光源モジュールのＹ軸方向断面図である。
【図６】光源モジュールのＹ軸方向断面図である。
【図７】光源モジュールのＹ軸方向断面図である。
【図８】光源モジュールのＹ軸方向断面図である。
【図９】光源モジュールを用いたエリア制御型照明装置の上面図である。
【図１０】図９のＡ−Ａ線断面図である。
【図１１ａ】図９の光源モジュールの組み込みを示す断面図である。
【図１１ｂ】図１１ａのＢ−Ｂ線断面図である。
【図１１ｃ】図９の光源モジュールの組み込みの変形例を示す断面図である。
【図１２】エリア制御型照明装置を用いた液晶表示装置の断面図である。
【図１３】光源モジュールを用いた照明装置の上面図である。
【図１４】図１３のＣ−Ｃ線断面の照明装置をもつ液晶表示装置の断面図である。
【図１５】光源モジュールの主要部に対する概観図である。
【図１６】図１５のＸ軸上のＤ−Ｄ線断面図である。
【図１７】図１６の変形例を示す光源モジュールのＸ軸方向断面図である。
【図１８】映像表示装置の背面側内部の概略平面図である。
【図１９】光源モジュールの特性図である。
【図２０ａ】光源モジュールを平面的に配置した照明装置の一部を示す概観図である。
【図２０ｂ】図２０ａのＹ軸方向のＥ−Ｅ線断面図である。
【図２０ｃ】図２０ａのＸ軸方向のＦ−Ｆ線断面図である。
【図２１ａ】図２０ａの変形例である光源モジュール１１６の上面図を示す。
【図２１ｂ】図２１ａのＧ−Ｇ線断面図を示す。
【発明を実施するための形態】
【００２４】
以下、図面などを用いて、本発明の実施形態について説明する。
【００２５】
ＬＥＤチップを第一のレンズを形成する透明樹脂で封止した光源において、第一のレンズ上に第二のレンズを形成することにより第一のレンズ内部で全反射される光を臨界角（全反射を起こさない入射角）以下にできる構造を見出したもので、ＬＥＤチップなどの光源からの出射光が全反射を抑制して取り出せるようにしたことが主要な特徴である。  
基本的な解決手段として、ＬＥＤチップからの出射光がレンズ界面の領域に対して、臨界角以下に出来る構造にある。即ち、第一のレンズの界面に対して、例えば半円柱形状の第二のレンズを湾曲させ、環状にして、レンズの中心軸を含む面が互いに略交差，略直交するように密着配置する。これにより、ＬＥＤチップからの出射光が第二のレンズの界面に移り、３次元的に臨界角を超えないようにできる点にある。第二のレンズ界面に対する入射角は、幾何学的にＬＥＤチップから離れるに従い減少する。従って、最大入射角θｉmaxは、ＬＥＤチップの近傍のレンズ領域に存在するが、第一のレンズと第二のレンズの構造，材質パラメータを適正化することにより、臨界角θｏ以下に抑えられることが分かる。
【００２６】
複数のＬＥＤチップからなる光源モジュールの場合は、ＬＥＤチップの構造，配置を含めた第一のレンズ，第二のレンズの３次元構造に対して幾何学的な対称性と周期性を持たせることにより実現できる。蛍光体を分散した透明樹脂をＬＥＤチップの近傍に形成した光源の場合も同様である。特に、励起光源であるＬＥＤチップに対して分散させた透明樹脂を均一な構造，対称な構造を形成し、取り出し効率向上や特性ばらつきを低減している。  
第二のレンズ構造は、複数のＬＥＤチップに対して全反射を抑制するレンズ界面を形成できればよい。したがって、半円柱形構造の他に、以下の断面を有する環状のレンズ構造などにより、付加価値を付けることができる。更に、半円柱形構造に代わりに、離散化した半球形状など各種凸部形状を配列させる構造により、同様の効果が得られる。
（１）円柱断面を潰した扁平形断面構造
（２）円柱断面をもつ第二のレンズを第一のレンズに対して斜めに交差させた扁平形断面構造
（３）半円柱形のフレネルレンズ化（レンズ薄型化）
（４）（３）のフレネルレンズ中央部を突き出した断面構造
（５）略二等辺三角形断面をもつ三角柱構造
（６）ＲＧＢ３色のＬＥＤチップ実装領域に対応した第二のレンズ構造
（７）ＲＧＢ３色のＬＥＤチップ実装領域に対応した第一，第二のレンズ構造（第一のレンズを中心軸方向に分離したマルチレンズ化）
【実施例１】
【００２７】
図１は、実施例１に関わる光源モジュール１の主要部に対する概観図を示す。配線基板２の表面において直交する二つの軸をＸ軸及びＹ軸とし、配線基板２の表面の法線方向をＺ軸とする。光源であるＬＥＤチップ３は、配線基板２上に配置され、その上を透明樹脂からなる半円柱形の第一のレンズ４で覆う。図１では、第一のレンズ４は半円柱形であるが、Ｘ軸を含む断面形状は矩形であり、Ｙ軸を含む断面形状は曲率を有したものであってもよい。また、図１においては、第一のレンズ４におけるＹＺ面の断面形状は半円であるが、半楕円や半円を潰した扁平形でもよい。さらに、第一のレンズ４の外周面の一部を、半円柱形レンズを湾曲させた環状の透明樹脂からなる第二のレンズ５で覆い、互いに密着する形でレンズの二重構造を形成している。透明樹脂は、シリコーン系樹脂を用いているが、エポキシ系樹脂などでもよい。光を効率よく取り出すため、第一のレンズ４及び第二のレンズ５の屈折率ｎ１及びｎ２を、それぞれｎ１＝１.７０，ｎ２＝１.５０とし、ｎ１≧ｎ２の関係を保持している。第一のレンズ４及び第二のレンズ５は、第一のレンズ４及び第二のレンズ５の界面で密着される。これにより、ＬＥＤチップ３からの出射光が第二のレンズ５の界面に移り、３次元的に臨界角を超えないようにできる。なお、第一のレンズ４及び第二のレンズ５について、ほぼ同一の材料（ｎ１≒ｎ２）を用いて、金型による一体形成される場合もある。これにより、歩留まり向上や部品点数の削減ができる。
【００２８】
図２は、光源モジュール１の上面図を示す。光源であるＬＥＤチップ３は、ＬＥＤ−Ｒチップ３ａ，ＬＥＤ−Ｇチップ３ｂ、及びＬＥＤ−Ｂチップ３ｃを基本構成とし、これらの繰り返しからなる。配線基板２上では、高反射率のアルミナ基板上に配線パターン８を形成し、電極接続部（図示せず）を介して、ＬＥＤ−Ｒチップ３ａ，ＬＥＤ−Ｇチップ３ｂ、及びＬＥＤ−Ｂチップ３ｃを各色毎に直列に接続している。各色直列接続したＬＥＤ−Ｒチップ３ａ，ＬＥＤ−Ｇチップ３ｂ、及びＬＥＤ−Ｂチップ３ｃを駆動するＩＣ（図示せず）は、配線基板２からコネクタ，引き回し線（図示せず）を介して光源モジュール１の外部に配置されている。
【００２９】
ＬＥＤ−Ｒチップ３ａ，ＬＥＤ−Ｇチップ３ｂ、及びＬＥＤ−Ｂチップ３ｃは、第一のレンズ４の中心軸であるＸ軸上に一定のピッチ間隔９で配置されている。第一のレンズ４の半径１０をｒ１、第二のレンズ５の半径１１をｒ２とする。ピッチ間隔９は、第二のレンズ５と略同等間隔（２×ｒ２）で配列され、第一のレンズ４の中心軸（Ｘ軸）を通る面と第二のレンズ５の環状に湾曲した中心軸を通る面とは、配線基板２上において略垂直であり、互いに略直交している。この時、光の取り出し特性を制御するため、第二のレンズ５を中心軸（Ｘ軸）に対して斜めに交差させて配列する場合もある。なお、第一のレンズ４と第二のレンズ５との各中心軸を通る面は、配線基板２上において互いに略直交している方が対称性に優れているので、効率よく光を取りだすことができる。
【００３０】
図３は、図２の配線基板２に垂直なＸ軸上の断面図（ＸＺ面上の断面図）を示す。ＸＺ面上の第二のレンズ５における断面の略中央部位置にＬＥＤ−Ｒチップ３ａ，ＬＥＤ−Ｇチップ３ｂ、及びＬＥＤ−Ｂチップ３ｃが一個ずつ配置され、第一のレンズ４の中心軸であるＸ軸近傍上に繰り返し配置されている。これにより、三次元構造に対して周期構造及び対称構造を保持している。ＬＥＤ−Ｒチップ３ａに対する最大入射角θｉmaxは、ＬＥＤ−Ｒチップ３ａの近傍に存在し、幾何学的に真上にある第二のレンズ５ａとこれに隣接する第二のレンズ５ｂとの境界点１２（両側に存在するが、片側のみ記載）で与えられるが、実効的には、図３に示す隣接する第二のレンズ５ｂの入射点１３になる。
【００３１】
第一のレンズ４のみの場合は、ＬＥＤ−Ｒチップ３ａから離れるに従い、入射角θｉは入射角１５（θａ１），入射角１６（θａ２）…と単調に増加する。しかし、第二のレンズ５を配置することにより、第一のレンズ４から移った第二のレンズ５に対する入射角は、入射角１４（θｂ１），入射角１７（θｂ２）…と単調に減少する。この時、θａ１＋θｂ１＝θａ２＋θｂ２＝…＝９０°の関係が成立するため、最大入射角θｉmaxは入射角１４（θｂ１）となる。
【００３２】
幾何学的な解析から、最大入射角θｉmaxである入射角１４（θｂ１）は、第一のレンズ４の半径１０（ｒ１）と第二のレンズ５の半径１１（ｒ２）で与えられる。したがって、屈折率ｎに依存する臨界角θｏに対して、レンズの構造または材質パラメータを適正化するにより、θｉmax≦θｏを満足させることができる。本実施例では、第二のレンズ５を用いることにより、例えば、最大入射角θｉmaxである入射角１４（θｂ１）を臨界角θｏ以下に設定して、光の取り出し効率を大幅に向上している。
【００３３】
図４ａ，図４ｂ、及び図４ｃは、各々図２のａ−ａ線断面図，ｂ−ｂ線断面図、及びｃ−ｃ線断面図を示し、配線基板２に垂直なＹ軸を含む各レンズ断面方向（ＹＹ軸，ＹＹＹ軸）に対するＬＥＤチップ３からの出射光の状態を示す。図４ａ，図４ｂ、及び図４ｃにおいて、第一のレンズ４の半径１０をｒ１、第二のレンズ５の半径１１をｒ２とする。
【００３４】
図４ａにおいて、配線基板２上のＬＥＤチップ３は、第一のレンズ４の中心軸であるＸ軸上に配置及び実装されている。第一のレンズ４の外周面に、第二のレンズ５をＹ軸と略平行に密着形成させるため、ＬＥＤチップ３から見たレンズ構造は略二重円形形状となる。従って、ＬＥＤチップ３から第一のレンズ４及び第二のレンズ５へ出た光を直接の出射光として取り出すことができ、出射光は半球レンズの円形断面と同様に全反射を抑制している。
【００３５】
図４ｂ及び図４ｃは、ＬＥＤチップ３からの出射光がＹ軸方向に対して平行にならない場合（ＹＹ軸，ＹＹＹ軸）を示す。出射光から見た第一のレンズ４及び第二のレンズ５の形状が変形するため、出射光の屈折は起こるが全反射は抑制される。特に、図４ｃの場合、第一のレンズ４は、円柱断面を潰した扁平した半円柱形のレンズ形状となり、一方の第二のレンズ５は半円柱形ではなく半球形であるレンズ形状に近づく。出射光の方向により、レンズ形状に対して全反射を防止する形状が変化する。従って、全反射を抑制するレンズ構造として、Ｘ軸方向から見た形状として第一のレンズ４の半円柱形を扁平させたレンズ構造とし、第二のレンズ５を離散化した半球形状のレンズ構造としてもよい。これにより、第一のレンズ４の薄型化を図ることができる。第二のレンズ５として、半球形状の他に、離散化した凸部形状を形成した円錐，三角錐，四角錐、またはｎ角錐（ｎ：ｎ≧５の整数）などを用いて、第一のレンズ４の表面の一部を覆うことにより、全反射を抑制する場合もある。更に、第一のレンズ４，第二のレンズ５を逆に、ＬＥＤチップ３の放射パターン，チップ形状，構造に合わせることで効率よく全反射を抑制する構造にすることもできる。
【００３６】
図１９に、光源モジュール１の輝度分布特性を示す。横軸にＬＥＤチップ３や第二のレンズ５の位置関係を示すＸ軸をとり、縦軸にはＬＥＤチップ３に対する輝度を取っている。
【００３７】
分布８３は従来技術の場合であり、それぞれ第一のレンズ４のみの場合のＬＥＤチップ３からの出射光に対する、Ｚ軸の方向（配線基板２に垂直）の輝度分布を示す。分布８５は本実施例の場合であり、第一のレンズ４上を覆う形で第二のレンズ５を形成した場合のＬＥＤチップ３からの出射光で、Ｚ軸の方向（配線基板２に垂直）の輝度分布を示す。
【００３８】
第一のレンズ４のみでは全反射が起き易いため、分布８３の裾野は狭い。これに対して、本実施例である第二のレンズ５を形成した場合は、全反射を抑制できるため、第一のレンズ４のほぼ全領域からの光を取り出すことができ、分布８５の裾野は大きく広がっている。輝度分布の裾野が広がると同時に、光学的な特性からＬＥＤチップ３の真上の輝度も増加する。ＬＥＤチップ３を複数個配置した輝度分布は、図１９に示すように、それぞれ個々の分布の積算となるため、本実施例の分布８７の方が従来技術の分布８６よりも大幅に上回っている。分布８５の裾野が分布８３よりも（ほぼ全領域に）広がるため、積算時の分布ばらつきも改善される。更に、ＲＧＢ３色ＬＥＤを配列するＬＥＤチップ３の場合には、色むらの抑制効果や混色化の効果も向上する。これらの効果を用いて、ＬＥＤチップ３の個数を低減（レンズ構造一定でピッチ間隔９の２倍化など）することもできる。これらの効果は、後述する白色ＬＥＤの実施例の場合にも得られる。
【実施例２】
【００３９】
図５ａ〜図５ｃは、実施例２に関わる光源モジュール１９の断面図であり、実施例１の第二のレンズ５に薄型構造を用いた場合の変形例を示す。
【００４０】
図５ａは、第二のレンズ２０を示し、基本になる半円柱形のレンズ形状２１に対して曲率を維持しながら平面上に並べた薄型構造（フレネルレンズ化）、つまり、第二のレンズ２０はＸ軸を含む配線基板２に垂直な断面形状がフレネルレンズの断面形状である構造をもつ。
【００４１】
図５ｂは、図５ａの第二のレンズ２０の中央部２２に対する変形例を示す。図５ｂでは、図５ａの第二のレンズ２０の中央部２２が扁平化する場合に対して、全反射を抑制する構造を付加している。中央部２２で全反射を抑制するため、フレネルレンズ断面の中央部の形状を半円化（凸部構造を強調）した第二のレンズ２４を形成している。図５ｃに示す第二のレンズ２４はフルネルレンズ化した場合であるが、薄型化が必要ない場合は薄型化前の半円柱形形状２５の上に更に小型化した半円柱形形状２６を形成して第二のレンズ２７を用いる場合（３重レンズ構造）もある。
【００４２】
図５ｃは、第一のレンズ２８の外周面上に第二のレンズ２４を形成した場合の光源モジュール１９の断面図を示す。
【実施例３】
【００４３】
図６は、実施例３に関わる光源モジュール３０の断面図であり、第二のレンズ３４のサイズの中に、光源であるＬＥＤ−Ｒチップ３１ａ，ＬＥＤ−Ｇチップ３１ｂ、及びＬＥＤ−Ｂチップ３１ｃを近接配置した場合を示す。
【００４４】
第一のレンズ３２の半径１０をｒ１、第二のレンズ３４の半径１１をｒ２とする。ＬＥＤ−Ｒチップ３１ａ，ＬＥＤ−Ｇチップ３１ｂ、及びＬＥＤ−Ｂチップ３１ｃを近接配置して一つのＬＥＤチップのグループを形成し、第二のレンズ３４のサイズ２×ｒ２以内に収めている。つまり、ＬＥＤ−Ｒチップ３１ａとＬＥＤ−Ｇチップ３１ｂとの距離とＬＥＤ−Ｇチップ３１ｂとＬＥＤ−Ｂチップ３１ｃとの距離の和は、第二のレンズ３４の直径より小さい。また、図６のように第二のレンズ３４が半円柱形状でない場合は、ＬＥＤ−Ｒチップ３１ａとＬＥＤ−Ｇチップ３１ｂとの距離とＬＥＤ−Ｇチップ３１ｂとＬＥＤ−Ｂチップ３１ｃとの距離の和は、第二のレンズ３４におけるＸ軸方向の長さより小さければよい。更に、ＬＥＤチップのグループに隣接するＬＥＤチップのグループは、ＲＧＢ，ＧＢＲ，ＢＲＧ，ＲＧＢ、…と順番に組み替えて、Ｘ軸方向のチップ配列に対して周期性を持たせている。これにより、３チップＲＧＢの配列に依存する第二のレンズ３４からの出射光に対して、輝度均一化及び色むら防止（混色）の効果を得ている。この時の最大入射角θｉmaxは、配列したＬＥＤチップのグループの中でも両サイドに配置したＬＥＤ−Ｂチップ３１ｃ（ＬＥＤ−Ｒチップ３１ａの場合は省略）などで与えられ、入射点３５で発生するが、臨界角以下にすることで全反射を抑制している。チップ配列に周期性を付加することにより、ＬＥＤチップのグループに対して全反射の起きる臨界角近傍の発生割合を均等化している。
【実施例４】
【００４５】
図７は、実施例４に関わる光源モジュール３６の断面図であり、第二のレンズ３９ａ及び第二のレンズ３９ｂの形状が略三角形状である場合を示す。
【００４６】
配線基板２上に搭載された光源であるＬＥＤチップ３７を封止した半円柱形形状の第一のレンズ３８の外周面上に、断面が略二等辺三角形の三角柱形状からなる第二のレンズ３９ａを略直交させる形で密着形成している。ピッチ間隔９と第二のレンズ３９ａの断面形状である二等辺三角形の底辺の長さとは略同等である。ＬＥＤチップ３７からの出射光４０は、レンズの断面が半円柱形形状の場合と同様に、第二のレンズ３９ｂから全反射がなく取りだされる。特に、ＬＥＤチップ３７の真上方向の出射光４１は、第二のレンズ３９ａの先端部形状が鋭角であるため、一度全反射されて二度目に第二のレンズ３９ａの外に取り出される場合もある。これらにより、全反射を抑制し光の取り出し効率を大幅に向上できる。
【実施例５】
【００４７】
図８は、実施例５に関わる光源モジュール４２の断面図であり、第一のレンズ４４がＲＧＢ３色チップのグループ毎に離散化したマルチレンズ構造の場合を示す。
【００４８】
第一のレンズ４４の細長両端部４７ａまたは４７ｂの半径をｒ１、第二のレンズ４５ａの半径をｒ２とする。光源であるＬＥＤ−Ｂチップ４３ｃ，ＬＥＤ−Ｇチップ４３ｂ、及びＬＥＤ−Ｒチップ４３ａは、一つの細長で半円柱形状断面をもつ第一のレンズ４４で封止され、その上にＬＥＤ−Ｂチップ４３ｃ，ＬＥＤ−Ｇチップ４３ｂ、及びＬＥＤ−Ｒチップ４３ａに対応した半円柱形状断面をもつ第二のレンズ４５ａ，第二のレンズ４５ｂ、及び第二のレンズ４５ｃが形成されている。ＬＥＤ−Ｂチップ４３ｃとＬＥＤ−Ｇチップ４３ｂとのピッチ間隔４６と第二のレンズ４５ａ，第二のレンズ４５ｂ、及び第二のレンズ４５ｃのサイズ（２×ｒ２）は略等しい。全反射を抑制する構造条件を優先する場合は、必ずしもピッチ間隔４６と第二のレンズのサイズ（２×ｒ２）を等しくする必要はない。例えば、対称構造、又は周期性をはずして、第二のレンズのサイズを１／Ｎ（Ｎ≧２）以下にしてもよい。また、第一のレンズ４４の細長両端部４７ａ及び４７ｂは、半円柱形状の半径ｒ１部分がそれぞれ突き出ている。第一のレンズ４４のＸ軸方向は、離散化されて短くなっているため、基本的に全反射が抑制される構造である。第二のレンズ４５ａの中に、ＬＥＤ−Ｂチップ４３ｃ，ＬＥＤ−Ｇチップ４３ｂ、及びＬＥＤ−Ｒチップ４３ａを一緒に近接配置する場合もある。この場合、連続配置した第二のレンズ４５ａ，第二のレンズ４５ｂ、及び第二のレンズ４５ｃ内に、ＬＥＤ−Ｂチップ４３ｃ，ＬＥＤ−Ｇチップ４３ｂ、及びＬＥＤ−Ｒチップ４３ａを、それぞれＢＧＲ，ＧＲＢ，ＲＧＢの順に配置してＸ軸方向に対して周期性を持たせることで色むらを取り除いている。
【実施例６】
【００４９】
図９は、光源モジュール１を分割する形で複数個用いたエリア制御型照明装置４８の上面図を示す。図９のＡ−Ａ線を水平方向とし、Ａ−Ａ線の垂線を垂直方向とする。
【００５０】
図１０は、図９のＡ−Ａ線断面図を示す。図１１ａ，図１１ｂ、及び図１１ｃは、照明装置４８に組み込まれる光源モジュール１の断面図を示す。図１１ａは、配線基板２を筐体放熱板５７と略平行に配置した場合の光源モジュール１の組み込み図を示す。図１１ｂは、図１１ａのＢ−Ｂ線断面図を示す。図１１ｃは、配線基板２を筐体放熱板５７と略垂直に配置した場合の光源モジュール１の組み込み図を示す。
【００５１】
照明装置４８は、図９に示すようにＭ×Ｎの複数のタイル型ブロック５０で仕切られる構造で、ブロック毎に光源モジュール１が組み込まれ、２次元のエリア制御ができる構成をとっている。光源モジュール１を駆動及び制御する回路は、配線（図示せず）を介して装置外周の上下部４９ａ，４９ｂにそれぞれ配置している。なお、装置外周の左右部に配置してもよい。光源モジュール１がタイル型ブロック５０の左側端部に垂直方向に配置されているが右側端部でもよい。更に、温度均一性や温度制御性を確保するため、水平方向の下側端部に配置する場合もある。
【００５２】
図１０に示すように、光源モジュール１は、複数のタイル型ブロック５０を形成した１枚の大型導光板５１の掘り込み部側面５２に近接配置される。光源モジュール１からの出射光５３は、導光板５１に入射すると混色されながらタイル型ブロック５０毎に設けたテーパ部５４で反射シートまたは凹凸部（図示せず）により反射され、上面方向へ輝度の均一化を満足させるように出射する。出射光５３は、更に輝度均一化や色むら低減のため、導光板５１の上部に空気層５５を挟んで拡散板５６を配置している。拡散板５６は、導光板５１からの光を拡散している。また、導光板５１及び光源モジュール１は、筐体放熱板５７上に搭載され、部分的に固定されている。
【００５３】
図１１ａは、光源モジュール１と導光板５１の掘り込み部側面５２の光学的な配置構造を示す。光源モジュール１の配線基板２は、放熱構造を単純化するため筐体放熱板５７上に高熱伝導性の粘着シート５８で直接固着する構造をとる。光学的には、光源モジュール１と掘り込み部側面５２との結合効率を向上させるため、湾曲した反射シート５９を設けて光源モジュール１からの出射光６０を導光板５１の掘り込み部側面５２へ制御している。
【００５４】
図１１ｂは、図１１ａのＢ−Ｂ線断面図を示す。光源モジュール１の第一のレンズ４と第二のレンズ５により、ＬＥＤチップ３からの中心軸方向の出射光６０をレンズ内部での全反射を抑制しながら取り出して、反射シート５９により導光板５１の掘り込み部側面５２へと効率よく結合させている。
【００５５】
図１１ｃは、光源モジュール１の配線基板２を筐体放熱板５７に対して略垂直に配置し、光源モジュール１からの出射光６１を導光板５１の掘り込み部側面５２へ直接入射させる構造をとる。光源モジュール１の上下両側面には反射シート６３ａ及び６３ｂを配置している。放熱に関しては、筐体放熱板を加工してもよいが、ここでは個別に折り曲げて形成したＬ字板６２を用いて光源モジュール１と筐体放熱板５７を低熱抵抗構造で接続している。配線基板２及びＬ字板６２の接触部、並びにＬ字板６２及び筐体放熱板５７の接触部は高熱伝導性の粘着シート５８ａ及び粘着シート５８ｂを用いているが、更にねじ止めなどで固着してもよい。
【００５６】
図１２は、実施例６に関わるエリア制御型照明装置（バックライト装置）４８を用いた液晶表示装置６４の断面図を示す。
【００５７】
バックライト装置を構成する光源モジュール１，導光板５１、及び拡散板５６からの光束６５は、光学シート６６，一対の基板と一対の基板に挟持される液晶層とを有する液晶パネル６８、並びに液晶パネル６８の両面に配置される一対の偏光板６７ａ及び偏光板６７ｂを介して取り出される。
【００５８】
放熱構造は、バックライト装置４８に組み込まれている光源モジュール１からの発熱を筐体放熱板５７全面で均一に吸収し、裏面全体から液晶表示装置６４の筐体６９に設けたスリット状の開口部７０を介して外部に放熱している。
【００５９】
画面全体の表示輝度をエリア制御をすることにより、高コントラス化及び低消費電力化を実現している。なお、他の実施例で記載した光源モジュールを用いても同様の効果が得られる。
【実施例７】
【００６０】
図１３は、光源モジュール７５ａ及び７５ｂを用いたサイドライト型照明装置（バックライト装置）７１の上面図を示す。
【００６１】
サイドライト型照明装置７１は、中央部に複数の細長い矩形の導光板７２（７２ａ，７２ｂ，…）を配列し、両サイドに放熱フィン付ヒートシンク７３ａ及び放熱フィン付ヒートシンク７３ｂに接続した光源モジュール７５ａ及び光源モジュール７５ｂを配置する構成をとる。光源モジュール７５ａ及び光源モジュール７５ｂを構成する第二のレンズは、第一のレンズ上に離散的に配列されている。これにより、ＲＧＢを混色しやすくしている。
【００６２】
図１４は、実施例７に関わるサイドライト型照明装置７１を用いた液晶表示装置７４で、図１３のＣ−Ｃ線断面図を示す。
【００６３】
照明装置７１の導光板７２からの光束７６は、一対の基板と一対の基板に挟持される液晶層とを有する液晶パネル７８と、液晶パネル７８の両面に配置した一対の偏向板７７ａ及び偏光板７７ｂ、を介して取り出される。
【００６４】
放熱構造は、照明装置７１に組み込まれている光源モジュール７５ａ及び光源モジュール７５ｂからの発熱を、放熱フィン付ヒートシンク７３ａ及び放熱フィン付ヒートシンク７３ｂで吸収する。放熱経路７９に沿って裏面に設けた放熱フィン部８０で空気中に放熱され、液晶表示装置７４の筐体８１に設けたスリット上の開口部８２を介して外部に放熱している。
【００６５】
光源モジュール７５ａ及び光源モジュール７５ｂを矩形の導光板７２の両サイドに配置することにより、薄型化を実現している。更に、複数の細長い矩形の導光板７２を用いて、垂直方向に画面をスクロールすることにより、１次元のエリア制御とし低消費電力化を実現している。
【実施例８】
【００６６】
図１５は、実施例８に関わる白色ＬＥＤを用いた光源モジュール８８の主要部に対する概観図を示す。
【００６７】
光源モジュール８８の光源は、配線基板８９の上にＬＥＤチップ９０を一定のピッチでＸ軸上に配置し、ＬＥＤチップ９０を励起光源とする蛍光体を分散した透明樹脂９１で覆い、ＬＥＤチップ９０及び透明樹脂９１で形成されている。そして、透明樹脂９１の外部には、断面が半円であり円柱形の第一のレンズ９２と、第一のレンズ９２の外周表面の一部を覆った断面が半円であり円柱形の第二のレンズ９３が形成されている。図１５では、第一のレンズ９２は半円柱形であるが、Ｘ軸を含む断面形状は矩形であり、Ｙ軸を含む断面形状は曲率を有したものであってもよい。また、図１５においては、第一のレンズ９２におけるＹＺ面の断面形状は半円であるが、半楕円や半円を潰した扁平形でもよい。第一のレンズ９２及び第二のレンズ９３には蛍光体は含まれず、一体形成されていてもよい。光源モジュール８８の色度は、蛍光体を分散した透明樹脂９１の塗布量などで制御される。
【００６８】
光源モジュール８８の輝度分布特性は、ＬＥＤチップ９０と透明樹脂９１からの出射光が第一のレンズ９２及び第二のレンズ９３からなる構造を用いることにより全反射が抑制される。したがって、図１９に示した効果と同様のものが得られる。すなわち、光取り出し領域が第一のレンズ９２及び第二のレンズ９３からなる構造により広がることで、発光効率向上による輝度均一化，平均輝度の大幅な増加を実現している。また、領域の裾野が広がることで、混色化及び色むら抑制の効果も得ている。
【００６９】
透明樹脂９１に分散させる蛍光体には、白色ＬＥＤとして青色ＬＥＤを励起光源とするＹＡＧ（Ｃｅ）を用いている。励起光源にＵＶ−ＬＥＤを用いて、３波長蛍光体を用いる白色ＬＥＤの場合もある。３波長蛍光体の場合、ＲＧＢ蛍光体を各々個別の透明樹脂９１に分散させることにより、色度，色合いなど光学特性の制御性向上やばらつき低減の効果が得られる。
【００７０】
また、ＬＥＤチップ９０の接続にワイヤーボンディングタイプを用いているが、取り出し効率を向上させるために、フリップチップを用いて実装する場合もある。蛍光体を分散させる透明樹脂９１は、第一のレンズ９２及び第二のレンズ９３を形成する透明樹脂と同一材料を用いることにより、プロセスの簡易化やコスト低減を実現している。
【００７１】
図１６は、図１５のＸ軸上のＤ−Ｄ線断面図を示す。
【００７２】
ＬＥＤチップ９０は、半径ｒｏの略半球形状に形成し蛍光体を分散させた透明樹脂９１の中心部に配置されている。光源の対称性を保持し点光源化することによりＬＥＤチップ９０と透明樹脂９１に分散した蛍光体からの光取り出し効率を向上させている。更に、全反射を抑制する第一のレンズ９２及び第二のレンズ９３からなる構造により発光効率を向上させ、ＬＥＤチップ９０と第二のレンズ９３の配置ピッチを２：１にしチップ数を低減している。
【実施例９】
【００７３】
図１７は、実施例８の変形例であり、実施例９に関わる白色ＬＥＤを用いた光源モジュール９６のＸ軸上の断面図を示す。
【００７４】
ＬＥＤチップ９０の近傍を蛍光体を含まない略半球形状の透明樹脂９７を形成し、透明樹脂９７の上に実施例８で用いた蛍光体を分散させた透明樹脂９９で覆い、一定の厚み（５〜１００μｍ）をもった半球殻形状の光源を形成している。透明樹脂９９には青色ＬＥＤを励起光源とするＹＡＧ（Ｃｅ）蛍光体を分散させて用いているが、同様に励起光源にＵＶ−ＬＥＤを用いて３波長蛍光体を用いる白色ＬＥＤの場合もある。この場合も、ＬＥＤチップ９０毎にＲＧＢ３種類の蛍光体を個別に分散させた透明樹脂９９を用いることもできる。
【実施例１０】
【００７５】
図１８は、実施例６で示した図１０のバックライト装置４８を搭載した映像表示装置１００の一実施例を示し、映像表示装置１００の背面側の内部を見た平面図を示す。映像表示装置１００は、背面側の筐体放熱板５７（図１０）と筐体６９（図１２）の空隙部１０１に、バックライト装置４８や液晶表示部などに電源を供給するための電源部１０２，液晶表示部に供給する映像信号に対してコントラスト，フレームレートなどの信号処理を行う信号処理部１０３、及びスピーカなどの構造体１０４ａ，１０４ｂを備えている。なお、実施例７に記載の照明装置を本実施例の映像表示装置に適用してもよい。
【実施例１１】
【００７６】
図２０ａは、各々実施例１で示した光源モジュール１を平面的に配置した光源モジュール１０５の概観図、図２０ｂは図２０ａのＹ軸上のＥ−Ｅ線断面図、図２０ｃは図２０ａのＸ軸上のＦ−Ｆ線断面図を示す。
【００７７】
図２０ａにおいて、光源モジュール１を複数個Ｙ軸方向に平面的に配列して光源モジュール１０５を形成している。光源モジュール１０５は、一体化した配線基板１０７上にＬＥＤチップ１０６を実装し、その上に中心軸が互いに略直交する半円柱形状の第一のレンズ１０８と第二のレンズ１０９が一体で形成されている。光源モジュール１を個別に形成し、配列してもよい。いずれの場合も、光源モジュール１，光源モジュール１０５の実装レベル（線上光源，平面光源）で、交換可能な形で照明装置に組み込まれている。なお、配線基板１０７を一体化した場合は部品点数の低減を図れる点で好ましい。
【００７８】
光源モジュール１０５からの光取り出し効率は、第一のレンズ１０８と第二のレンズ１０９でＸ軸，Ｙ軸方向に対して２次元的に全反射を抑制できるため、大幅な向上を実現できる。図２０ｂ，図２０ｃに示す第一のレンズ１０８，第二のレンズ１０９の断面構造配置から、ＬＥＤチップ１０６からの出射光に対して入射角の増加を抑制できている。光源モジュール１０５を用いた照明装置の場合、光源モジュール１０５を覆う外部ケース以外に第二のレンズ１０９上に拡散板（図示せず）を配置して輝度均一性を向上させて用いる場合もある。照明装置をコンパクトな構造とするため、外部ケースの一部を拡散板と兼用させる場合もある。なお、実施例１以外の実施例で記載した光源モジュールを用いても同様の効果が得られる。
【実施例１２】
【００７９】
図２１ａ及び図２１ｂは、実施例１１の光源モジュールの変形例であり、図２１ａは第一のレンズを環状にした場合の光源モジュール１１６の各々上面図、図２１ｂはＧ−Ｇ線断面図を示す。
【００８０】
実施例１１の場合、光源モジュール１０５は光源モジュール１を平面的に矩形形状に配置，配列した構造体としているが、本実施例では光源モジュール１を第一のレンズの中心軸を湾曲させて平面状に形成して配置，配列した構造体を用いている。平面状の外に、円筒面，球面などの曲面構造に対しても光源モジュールを配列，配置することができる。
【００８１】
光源モジュール１１６は、２つの光源モジュール１１０ａ，１１０ｂで構成されている。光源モジュール１１０ａ，１１０ｂは、配線基板１１１上に各々ＬＥＤチップ１１２ａ，１１２ｂを実装し、図２１ｂに示す第一のレンズ１１３と第二のレンズ１１４を２重に形成している。２つの光源モジュール１１０ａ，１１０ｂの第一のレンズ１１３ａ，１１３ｂ，第二のレンズ１１４ａ，１１４ｂは、同一の透明樹脂で一体形成されている。
【００８２】
光源モジュール１１０ａ，１１０ｂの第一のレンズ１１３ａ，１１３ｂは、図２１ａ，図２１ｂに示すように第二のレンズ１１４ａ，１１４ｂと同じく半円柱形状のレンズを環状（リング状）に湾曲させて中心点１１５の同心円状に配列されている。  
第二のレンズ１１４ａ，１１４ｂは、環状に配置した第一のレンズ１１３ａ，１１３ｂの上に中心点１１５に対して放射形状となる構造で半円柱形状を環状に湾曲させて密着配置されている。
【００８３】
光源モジュール１１６は、第一のレンズ１１３ａ，１１３ｂを環状にすることで、中心点１１５に対して対称構造とし、出射光を均一、かつ指向性を持たせる効果を実現している。なお、実施例１以外の実施例で記載した光源モジュールを用いても同様の効果が得られる。
【符号の説明】
【００８４】
１，１９，３０，３６，４２，７５ａ，７５ｂ，８８，９６，１０５，１１０ａ，１１０ｂ，１１６  光源モジュール
２，８９，１０７，１１１  配線基板
３，３７，９０，１０６，１１２ａ，１１２ｂ  ＬＥＤチップ
３ａ，３１ａ，４３ａ  ＬＥＤ−Ｒチップ
３ｂ，３１ｂ，４３ｂ  ＬＥＤ−Ｇチップ
３ｃ，３１ｃ，４３ｃ  ＬＥＤ−Ｂチップ
４，２８，３２，３８，４４，９２，１０８，１１３ａ，１１３ｂ  第一のレンズ
５，５ａ，５ｂ，２０，２４，２７，３４，３９ａ，３９ｂ，４５ａ，４５ｂ，４５ｃ，９３，１０９，１１４ａ，１１４ｂ  第二のレンズ
８  配線パターン
９，４６  ピッチ間隔
１０  第一のレンズの半径
１１  第二のレンズの半径
１２  境界点
１３，３５  入射点
１４，１５，１６，１７  入射角
２２  中央部
２５，２６  半円柱形形状
４０，４１，５３，６０，６１  出射光
４７ａ，４７ｂ  第一のレンズの細長両端部
４８，７１  照明装置
４９ａ，４９ｂ  装置外周の上下部
５０  ブロック
５１，７２，７２ａ，７２ｂ  導光板
５２  導光板の掘り込み部側面
５４  テーパ部
５５  空気層
５６  拡散板
５７  筐体放熱板
５８，５８ａ，５８ｂ  粘着シート
５９，６３ａ，６３ｂ  反射シート
６２  Ｌ字板
６４，７４  液晶表示装置
６５，７６  光束
６６  光学シート
６７ａ，６７ｂ，７７ａ，７７ｂ  偏光板
６８，７８  液晶パネル
６９，８１  筐体
７０，８２  開口部
７３ａ，７３ｂ  ヒートシンク
７９  放熱経路
８０  放熱フィン部
８３，８５，８６，８７  分布
９１，９７，９９  透明樹脂
１００  映像表示装置
１０１  空隙部
１０２  電源部
１０３  信号処理部
１０４ａ，１０４ｂ  構造体
１１５  中心点
【図１】
2010192347.tif 000003
【図２】
2010192347.tif 000004
【図３】
2010192347.tif 000005
【図４ａ】
2010192347.tif 000006
【図４ｂ】
2010192347.tif 000007
【図４ｃ】
2010192347.tif 000008
【図５ａ】
2010192347.tif 000009
【図５ｂ】
2010192347.tif 000010
【図５ｃ】
2010192347.tif 000011
【図６】
2010192347.tif 000012
【図７】
2010192347.tif 000013
【図８】
2010192347.tif 000014
【図９】
2010192347.tif 000015
【図１０】
2010192347.tif 000016
【図１１ａ】
2010192347.tif 000017
【図１１ｂ】
2010192347.tif 000018
【図１１ｃ】
2010192347.tif 000019
【図１２】
2010192347.tif 000020
【図１３】
2010192347.tif 000021
【図１４】
2010192347.tif 000022
【図１５】
2010192347.tif 000023
【図１６】
2010192347.tif 000024
【図１７】
2010192347.tif 000025
【図１８】
2010192347.tif 000026
【図１９】
2010192347.tif 000027
【図２０ａ】
2010192347.tif 000028
【図２０ｂ】
2010192347.tif 000029
【図２０ｃ】
2010192347.tif 000030
【図２１ａ】
2010192347.tif 000031
【図２１ｂ】
2010192347.tif 000032